(57)【要約】【課題】曲線橋、あるいは緊張端、固定端の間隔が長い場合においても適用可能な橋梁のＰＣケーブルの緊張方法を提供することを目的とする。【解決手段】主桁ブロック１０を構成する床版コンクリート２０に架設ＰＣケーブル３０を橋軸方向に挿入し、架設ＰＣケーブル３０の固定端を施工済み主桁ブロック１０Ｂに固定する。床版コンクリート２０の円弧状切欠部２１にカーブチェア５２を配置し、架設ＰＣケーブル３０の緊張端を床版コンクリート２０上に突出する。突出した緊張端に緊張装置を取り付けて架設ＰＣケーブル３０を緊張する。緊張力が不要になった後、架設ＰＣケーブル３０の張力を解放し、切り欠いた床版コンクリート２０を後埋めする。【選択図】　　　　図１
2004027571.tif 000002
【特許請求の範囲】
【請求項１】
単位ブロックごと主桁ブロックを張り出して施工する場合の橋梁のＰＣケーブルの緊張方法において、
前記主桁ブロックを構成する床版コンクリートに、ＰＣケーブルの緊張端が張出先端ブロックの床版コンクリートの切欠部から突き出るように橋軸方向に挿入し、
前記ＰＣケーブルの固定端を施工済み主桁ブロックに固定し、
前記突出した緊張端に緊張装置を取り付けて緊張し、
緊張力が不要になった後、前記ＰＣケーブルの張力を解放し、
前記床版コンクリートの切欠部を後埋めして行う、
橋梁のＰＣケーブルの緊張方法。
【請求項２】
請求項１に記載する橋梁のＰＣケーブルの緊張方法において、
床版コンクリートの切欠部を円弧状に形成し、円弧状切欠部にカーブチェアを配置したことを特徴とする、橋梁のＰＣケーブルの緊張方法。
【発明の詳細な説明】
【０００１】
【発明の属する技術分野】
本発明は、橋梁の主桁ブロックに配置するＰＣケーブルの緊張方法に関するものである。
【０００２】
【従来の技術】
橋梁の長スパン化に伴い、複雑な地形条件や制約条件においても施工が可能なカンチレバー工法による施工が増加している。カンチレバー工法は、２台の移動作業車を使用し、柱頭部より主桁の左右のバランスをとりながら張り出して架設する。
張出施工中、施工ブロックにコンクリートを打設してから、カンチレバーケーブルを順次緊張しながら施工するが、万一、カンチレバーケーブルが破断した場合でも主桁に影響が及ばないように、あるいは架設中のコンクリート主桁に発生する応力を打ち消すために架設ＰＣ鋼材を配置するのが一般的になっている。
従来、架設ＰＣ鋼材として総ネジ切りＰＣ鋼棒が使用されている。
図６（Ａ）に示すように、総ネジ切りＰＣ鋼棒ａを貫通孔ｇより挿入して、施工ブロックｂと施工済みブロックｃとの間に配置し、ＰＣ鋼棒ａの固定側と緊張側に支圧板ｄを取り付け、さらに緊張端に緊張用ナットｅを取り付ける。
図６（Ｂ）に示すように、油圧ジャッキｆを支圧板ｄと緊張用ナットｅとの間にセットし、ＰＣ鋼棒ａを緊張し、施工ブロックｂにプレストレスを与える。施工ブロックが進むにつれてＰＣ鋼棒ａを順次張出先端の施工ブロックへ送り出し、ＰＣ鋼棒ａを順次転用していく。
なお、ｈは施工目地である。
【０００３】
【発明が解決しようとする課題】
しかしながら、前記した従来のＰＣ鋼材を緊張する方法にあっては、次のような問題点がある。
＜イ＞ＰＣ鋼棒ａは直線部材であるので、曲線橋に適用することが困難である。
＜ロ＞緊張端、固定端の間隔が長い場合、カプラ−を用いてＰＣ鋼棒ａ同士を継ぎ足す必要があり、作業が煩雑になる。
＜ハ＞施工ブロックが進むごとにＰＣ鋼棒ａを先端ブロックに送り出すために橋面上に多数の切欠きを必要とする。
【０００４】
【本発明の目的】
本発明は上記したような従来の問題点に鑑みて考えられたもので、曲線橋に適用可能な、あるいは緊張端、固定端の間隔が長い場合においても適用可能な橋梁のＰＣケーブルの緊張方法を提供することを目的とする。
また本発明は、床版コンクリートに大きな切欠きを設けることがないようにした橋梁のＰＣケーブルの緊張方法を提供することを目的とする。
また本発明は、ジャッキのセットを容易に行える橋梁のＰＣケーブルの緊張方法を提供することを目的とする。
本発明は、上記目的のうち少なくとも一つを達成するようにしたものである。
【０００５】
【課題を解決するための手段】
上記のような目的を達成するために、本発明の橋梁のＰＣケーブルの緊張方法は、単位ブロックごと主桁ブロックを張り出して施工する場合の橋梁のＰＣケーブルの緊張方法において、前記主桁ブロックを構成する床版コンクリートに、ＰＣケーブルの緊張端が張出先端ブロックの床版コンクリートの切欠部から突き出るように橋軸方向に挿入し、前記ＰＣケーブルの固定端を施工済み主桁ブロックに固定し、前記突出した緊張端に緊張装置を取り付けて緊張し、緊張力が不要になった後、前記ＰＣケーブルの張力を解放し、前記床版コンクリートの切欠部を後埋めして行うものである。
【０００６】
ここで、床版コンクリートの切欠部を円弧状に形成し、円弧状切欠部にカーブチェアを配置することができる。
【０００７】
【本発明の実施の形態】
以下図面を参照しながら、本発明に係る実施の形態について説明する。
【０００８】
＜イ＞全体の構成（図１、図５）
主桁ブロック１０を橋脚から左右のバランスをとりながら張り出して施工する。
主桁ブロック１０は、橋桁を一定長さのブロックに分割したもので、このブロックを橋脚に近い部分から両側に張り出してコンクリート２０を打ち継ぎながら順次前方に架設する。
張り出すときにカンチレバーケーブル１４を緊張するとともに、架設ＰＣケーブル３０を緊張する。
【０００９】
＜ロ＞主桁ブロック（図５）
主桁ブロック１０は、上床版１１と下床版１２及びこれらを結ぶ左右ウェブ１３とからなる箱形構造である。
ウェブ１３は、波形鋼板ウェブである。
【００１０】
＜ハ＞床版（図２、図３、図４）
上下床版１１、１２は、橋軸方向に連続する複数の橋軸方向筋２４と、橋軸直角方向に連続する複数の橋軸直角方向筋２５とを格子状に配置し、矩形板状を呈する。
床版コンクリート２０の緊張端側には、円弧状切欠部２１と切欠部２３を形成しておく。
円弧状切欠部２１はコンクリート２０の内部から表面に向けて円弧状に切り欠いて形成し、カーブチェア５２を設置する。カーブチェア５２の一端は床版コンクリート２０の表面から突出する。なお、カーブチェア５２をコンクリート２０に直接触れずに配置したり、取り外したりできるように、予め円弧状切欠部２１にはスパイラルシース２２などを設置しておく。切欠部２３は、差込支圧板５４を挿し込むためのものである。
また床版コンクリート２０の内部に架設ＰＣケーブル３０を挿通するための塩ビ管２６などを設置しておく。
【００１１】
＜ニ＞架設ＰＣケーブル（図１、図２、図３、図４）
架設ＰＣケーブル３０は、例えばＰＣ鋼より線（太径シングルストランド）を使用する。架設ＰＣケーブル３０は、従来の総ネジ切りＰＣ鋼棒ａに相当するものである。
主桁ブロック１０の上床版１１に複数の架設ＰＣケーブル３０を橋軸方向に挿通し、この架設ＰＣケーブル３０を緊張することにより主桁ブロック１０の橋軸方向にプレストレス力を導入する。架設ＰＣケーブル３０は塩ビ管２６、カーブチェア５２内に配置する。
【００１２】
＜ホ＞緊張端（図１、図２）
架設ＰＣケーブル３０の緊張端側はカーブチェア５２から突出し、余長部３２を有する。
カーブチェア５２と塩ビ管２６との間には、球座５３と差込支圧板５４を設置する。
架設ＰＣケーブル３０がカーブチェア５２から突出する緊張端部分に支圧板４１、スリーブ４２、ウェッジ４３からなる緊張側定着具４０を取り付け、余長部３２に緊張装置を接続する。緊張装置は油圧ジャッキ（図示せず）を使用し、緊張、定着、脱楔の作業を行う。ジャッキの反力が緊張側定着具４０、カーブチェア５２、球座５３を介して差込支圧板５４に働く。緊張側定着具４０、カーブチェア５２、球座５３、差込支圧板５４は、ジャッキの反力をとるための反力部を構成する。
【００１３】
＜ヘ＞固定端（図１、図３）
架設ＰＣケーブル３０の固定端側に固定側定着具６０を取り付ける。
固定側定着具６０は、差込支圧板６１とコンプレッショングリップ６２とからなる。差込支圧板６１を床版コンクリート２０に開口した切欠部２７に差し込んで取り付ける。
【００１４】
＜ト＞カンチレバーケーブル（図５）
カンチレバーケーブル１４は、防錆状態を確認でき、維持管理が容易な公知の外ケーブル透明シース方式である。
カンチレバーケーブル１４を上床版１１に、スパンケーブル１５を下床版１２に、夫々橋軸方向に連続して挿通し、緊張することにより橋軸方向にプレストレスを導入する。
【００１５】
次に、主桁ブロック１０の緊張方法について説明する。
【００１６】
＜イ＞鉄筋の配筋
移動作業車などで床版型枠を設置し、橋軸方向筋２４と橋軸直角方向筋２５を配筋する。
【００１７】
＜ロ＞カーブチェア５２の配置
コンクリート２０を打設する前に、鉄筋２４、２５の間にカーブチェア５２を、その一端が床版コンクリート２０の上面から突出するように配置する。この場合、カーブチェア５２がコンクリート２０に直接触れないように、予めスパイラルシース２２などを設置しておく。
また、鉄筋２４、２５の間に塩ビ管２６を設置しておく。
【００１８】
＜ハ＞コンクリート２０の打設
上床版１１Ａにコンクリート２０を打設する。予めスパイラルシース２２などを設置してあるため、円弧状切欠部２１が構成される。また、切欠部２３も形成しておく。
【００１９】
＜ニ＞架設ＰＣケーブル３０の挿入
架設ＰＣケーブル３０を円弧状切欠部２１から挿入し、緊張端側に緊張側定着具４０とジャッキを取り付け、固定端側に固定側定着具６０を取り付けて配置する。
【００２０】
＜ホ＞油圧ジャッキによる緊張
床版コンクリート２０に所定の強度が発現したら、架設ＰＣケーブル３０を緊張して、上床版１１Ａにプレストレスを導入する。
緊張側定着具４０、カーブチェア５２、球座５３、差込支圧板５４に反力をとり、油圧ジャッキを駆動して架設ＰＣケーブル３０を緊張し、架設ＰＣケーブル３０の緊張力が主桁ブロック１０Ａに導入される。その状態で緊張側定着具４０を定着する。
この作業を順次繰り返すことにより、橋軸方向に所定の間隔をあけて導入されている架設ＰＣケーブル３０を順次手際よく、安全に緊張する。
このように架設ＰＣケーブル３０を緊張していくため、複数の主桁ブロック１０をカンチレバーケーブル１４で順次緊張しながら施工していく際、カンチレバーケーブル１４が途中で切断したとしても主桁に有害な影響が少なくなる。
【００２１】
＜ト＞架設ＰＣケーブル３０の解放、撤去、後処理
主桁ブロック１０が閉合し、構造的に架設ＰＣケーブル３０の緊張力が不要になった後、架設ＰＣケーブル３０の張力を解放し、カーブチェア５２、差込支圧板５４、６１及び架設ＰＣケーブル３０などを撤去して円弧状切欠部２１、切欠部２３、２７をコンクリートで後埋めするとともに塩ビ管２６内部をグラウトで後埋めする。
【００２２】
【本発明の効果】
本発明は、以上説明したようになるから次のような効果を得ることができる。
＜イ＞架設ＰＣ鋼材として架設ＰＣケーブルを使用したことにより、曲線橋においても適用可能となる。また緊張端、固定端間の距離が長い場合においても適用しやすい。
＜ロ＞さらに架設ＰＣケーブルを使用したことにより、全ネジＰＣ鋼棒使用時の鋼棒送り出しの手間が省けるとともに送り出し用の切欠きを設ける必要がない。
＜ハ＞床版コンクリートを切り欠いてカーブチェアを配置し、架設ＰＣケーブルの緊張端を床版コンクリート上に突出するようにしたので、ジャッキセット用の大きな切欠きを設ける必要がなく、欠損断面を極力小さくできる。
＜ニ＞架設ＰＣケーブルを床版上に突出したので、ジャッキのセット、緊張作業を簡単に行うことができる。
【図面の簡単な説明】
【図１】上床版に架設ＰＣケーブルを設置した状態を示す説明図。
【図２】架設ＰＣケーブルの緊張端側を示す断面図。
【図３】架設ＰＣケーブルの固定端側を示す断面図。
【図４】図３のＩＶ−ＩＶに沿った断面図。
【図５】主桁ブロックの斜視図。
【図６】従来のＰＣ鋼棒の緊張作業を示す図で、（Ａ）はＰＣ鋼棒を配置した説明図。（Ｂ）はＰＣ鋼棒を緊張した説明図。
【符号の説明】
１０・・・主桁ブロック
１１・・・上床版
２０・・・床版コンクリート
２１・・・円弧状切欠部
３０・・・架設ＰＣケーブル
４０・・・緊張側定着具
５２・・・カーブチェア
５３・・・球座
５４・・・差込支圧板
６０・・・固定側定着具
【図１】
2004027571.tif 000003
【図２】
2004027571.tif 000004
【図３】
2004027571.tif 000005
【図４】
2004027571.tif 000006
【図５】
2004027571.tif 000007
【図６】
2004027571.tif 000008